(57)【要約】      （修正有）【課題】同軸ケーブルと同軸コネクタとを簡単に接続するための治具を提供すること。【解決手段】ほぼ中心位置に同軸コネクタの多角ナットに対応した有底多角穴１０２を有し、この多角穴の開口端面が平坦である不変形性材料の本体により構成された、同軸コネクタの受け治具。【選択図】図２
0003130721.tif 000002
【実用新案登録請求の範囲】
【請求項１】
ほぼ中心位置に同軸コネクタの多角ナットに対応した有底多角穴を有し、この多角穴の開口端面が平坦である不変形性材料の本体により構成された、同軸コネクタの受け治具。
【請求項２】
請求項1記載の受け治具において、
前記本体の外周の一部に、紐通し用穴が設けられた受け治具。  
【請求項３】
請求項１記載の受け治具において、
前記本体における他の端面にマグネットが固着された受け治具。
【請求項４】
請求項１記載の受け治具において、
前記本体は、人が掌で握るのに適した長さを有し、外周に滑り留め加工が施された受け治具。
【請求項５】
請求項４記載の受け治具において、
前記本体は、長手方向に沿ってすり割が設けられた受け治具。
【考案の詳細な説明】
【技術分野】
【０００１】
本考案は、同軸コネクタを支持する受け治具に係わり、とくにF型コネクタの６角ナットを支持する治具に関する。
【背景技術】
【０００２】
同軸ケーブルを機器に接続するために、同軸ケーブルの端部に同軸コネクタを装着する。この際、同軸コネクタを支持して同軸ケーブルの端部に同軸コネクタを取り付ける作業を行う。
【０００３】
同軸コネクタとして最も一般的なF型コネクタの場合、同軸コネクタの６角ナットと反対端にある円筒状部を同軸ケーブルの絶縁層とその外周にある編組と呼ばれるシールド層との間に差し込んで行き、所定位置まで差し込んだら、かしめリングをかしめて外被および折り返された編組端部とともに円筒状部に対して固定する。
【０００４】
この作業の最初の段階で、同軸ケーブルの層間に同軸コネクタを差し込む際、同軸ケーブルおよび同軸コネクタは一直線に並べて軸心方向の力を加える必要がある。
【考案の開示】
【考案が解決しようとする課題】
【０００５】
しかし、同軸ケーブルはある程度柔軟性があるものであり、また同軸コネクタは小さな部材であるから強い力を懸け難く、ある程度熟練していないと必ずしも円滑に差し込めない。
【０００６】
本考案は上述の点を考慮してなされたもので、同軸ケーブルと同軸コネクタとを簡単に接続するための治具を提供することを目的とする。
【課題を解決するための手段】
【０００７】
上記目的達成のため、本考案では、
ほぼ中心位置に同軸コネクタの多角ナットに対応した有底多角穴を有し、この多角穴の開口端面が平坦である不変形性材料の本体により構成された、同軸コネクタの受け治具、
を提供する。
【考案の効果】
【０００８】
本考案は上述のように、ほぼ中心位置に有底６角穴を有し、一端面が平坦である不変形性材料により構成されているため、６角穴に同軸コネクタの６角ナットをセットすれば同軸コネクタ全体を良好に支持することができる。
【考案を実施するための最良の形態】
【０００９】
以下、添付図面を参照して本考案の実施の形態を説明する。  
【実施例１】
【００１０】
図1(a)は、本考案の第１の実施例である受け治具１００に、F型同軸コネクタ１０をセットしている状態を示している。つまり、受け治具１００は、本体１０１の一端面に開いた有底６角穴１０２を有し、この６角穴１０２の開口端は平坦面となっている。
【００１１】
この６角穴１０２に、同軸コネクタ、ここではF型コネクタ１０の６角ナット１２を挿入する。同軸コネクタ１０は、６角ナット１２が取り付けられた円筒状部１１および円筒状部１１に仮留めされたかしめリング１３を有する。
【００１２】
図1(b)は、図1(a)で示したように、受け治具１００に支持されたF型コネクタ１０に同軸ケーブル２０を差し込む状態を示している。同軸ケーブル２０は、F型コネクタの中心導体になる芯線２１が突出し、絶縁層２２が若干露出し、編組２３が外被２４の端部で折り返されている。
【００１３】
この同軸ケーブル２０を、F側コネクタ１０の円筒状部１１の図示左側から差し込む。このとき、F型コネクタ１０の円筒状部１１の断面楔状にk3衛星された図示右側端が同軸ケーブル２０の絶縁層２２と編組２３との間に差し込まれるように突き当たるまで押し込むと、編組２３がかしめリング１３と円筒状部１１の外周との間に挟まれた位置となる。
【００１４】
そこで、かしめリング１３をプライヤなどの工具を用いてかしめると、編組２３および外被２４が円筒状部１１の外周に圧接された状態となり、そのまま固定される。これにより、F型コネクタ１０と同軸ケーブル２０とが強固に接続される。
【００１５】
この接続作業の際、受け治具１００がF型コネクタ１０をしっかりと支持しているから、同軸ケーブル２０を真っ直ぐに差し込むことができ、接続作業を円滑に行うことができる。
【００１６】
この同軸ケーブルとF型コネクタ１０との接続作業の際、受け治具１００がF型コネクタ１０をしっかりと支持しているから、同軸ケーブル２０を真っ直ぐに差し込むことができ、接続作業を円滑に行うことができる。
【実施例２】
【００１７】
図２(a)，(b)は、本考案の実施例２の構成を示す平面図および中心位置で切断した縦断面図である。この実施例２では、受け治具１００を他の器具に取り付ける場合の利便性を考慮して、６角穴とは反対側の端面にマグネット１１０を組み込み、それに応じて紐通し１０３ｂを外周から突出させている。
【００１８】
この結果、受け治具１００は、他の磁気吸着性のある工具に吸着して携行したり、磁気吸着性のある壁面に取り付けて同軸ケーブルの差込作業をし易くしたりすることができる。
【００１９】
マグネット１１０を受け治具１００に固定するには、接着、ネジ留め等によればよく、ネジ留めの場合はそのためのネジ穴を中心位置に設けておく。このネジ穴は、同軸ケーブルの芯線を受け入れるための６角穴の底に設けられた穴と連通していてもよい。
【実施例３】
【００２０】
図３は、本考案の実施例３の外観形状を示している。この実施例は、受け治具１００Ａが掌で握れるように細長い全体形状であり、しかも外周面１０１Ａに滑り止めの刻み目が設けられている。
【００２１】
このため、６角穴１０２Ａを有する工具としても利用でき、例えば６角ナットが狭隘な場所に設けられているとか、いくつか隣接して設けられていてスパナのような長い柄があり、しかも横から操作する工具が使えないときに便利な工具となる。
【実施例４】
【００２２】
図４(a)，(b)は、本考案の実施例４を示す平面図および縦断面図である。この実施例４は、図３に示した実施例３に長手方向に延びるすり割り１０２Ｂを設けてある。
【００２３】
このため、ケーブル付きのF型コネクタであっても、同軸ケーブルをすり割りに収容して受け治具１００Ｂを回すことにより６角ナットを締め込むことができる。
【００２４】
（変形例）
上記実施例では、有底６角穴を１段だけ設けているが、開口端に大きな６角穴を配し、それより内側により小さな６角穴を設けて複数種類の６角外形部材に対応することができる。
【００２５】
上記各実施例を構成する不変形性材料は、容易に変形することがない金属、樹脂等から選択することができ、適度の硬さおよび強度を有するものから選べばよい。
【図面の簡単な説明】
【００２６】
【図１】図１(a)，(b)は、本考案の実施例１の構成および使い方を示す説明図。
【図２】図２(a)，(b)は、本考案の実施例２の構成を示す平面図および縦断面図。
【図３】本考案の実施例３の外観形状を示す説明図。
【図４】図４(a)，(b)は、本考案の実施例４の構成を示す平面図および縦断面図。
【符号の説明】
【００２７】
１０  同軸コネクタ、１１  円筒状部、１２  ６角ナット、
１３  かしめリング、２０  同軸ケーブル、２１  芯線、２２  絶縁層、
２３  編組、２４  外被、１００  受け治具、１０１  受け治具本体、
１０２  ６角穴、１１０  マグネット。
【図１】
0003130721.tif 000003
【図２】
0003130721.tif 000004
【図３】
0003130721.tif 000005
【図４】
0003130721.tif 000006